(57)【特許請求の範囲】
【請求項１】
天板と、その両側の側板とを備え、上記天板の両側端部には係止部と、その外側方に間隔をおいて配置された支持部とを形成し、
上記側板は、垂直の側板本体とその上部から水平方向に張り出す水平部とを備え、水平部の先端を上記天板の係止部に下側から係止させ、水平部の側板本体側を上記支持部上に支持させるとともに、
建物の天井躯体から吊りボルトにより水平に配置された吊り金具の下面に対し、上記天板の両側端部の係止部と支持部上に支持された水平部と、側板本体の上端部とを当接させることにより、上記側板を固定する
ことを特徴とするロールスクリーン収納ボックス。
【請求項２】
上記側板の水平部には、上記支持部に係合する凹部が形成されていることを特徴とする、請求項１に記載のロールスクリーン収納ボックス。
【請求項３】
上記側板本体の上端よりも少し下部から傾斜部が分岐形成され、該傾斜部を上記水平部と連続させたことを特徴とする、請求項１に記載のロールスクリーン収納ボックス。
【発明の詳細な説明】
【技術分野】
【０００１】
本発明は、主に室内の天井から吊るす投影用のロールスクリーンを収納するロールスクリーン収納ボックスに関するものである。
【背景技術】
【０００２】
一般に、室内の天井から吊るす投影用のロールスクリーンは、内部に巻き取り装置等を装備しているので、カーテンに比べて重量が重く、この重量に耐えるために大型化しやすいので、ロールスクリーンをコンパクトで収納しやすいロールスクリーン収納ボックスが要望されていた。
【０００３】
これに対し、従来は、天板と、その両側の側板とを備え、天板の両側端に側板の上端を係止させて全体を下向きに開口するコ字形とし、下端開口部の一部を目隠し板によって塞ぐものが知られている。これは、側板の上端部を屈曲させて小さな水平部を出し、この水平部の端部を折り曲げて下向きに開口する係止溝を形成し、この係止溝を、天板の両側端部に上向きに突出した突片に係止させることにより、天板と側板とを連結する構成であった。
【特許文献１】特許第３２１１７３４号公報
【発明の開示】
【発明が解決しようとする課題】
【０００４】
しかしながら、上述のように、天板と側板とを連結するのに、側板の上端部の側方に形成された下向き開口の係止溝を、天板の両側端部に上向きに突出した突片に係止させるだけでは、側板の下部がぐらつきやすく、十分な連結強度は得られない。また、同様の理由で、下端の開口部の寸法精度を出すことができない。周囲の部材との取り合いが不安定になるので、調整をしなければならない。
【０００５】
本発明は上記問題点を解消し、連結強度が強く、開口部を調整する必要も無いロールスクリーン収納ボックスを提供することをその課題とする。
【課題を解決するための手段】
【０００６】
上記課題を解決するため、請求項１に係る発明は、天板と、その両側の側板とを備え、上記天板の両側端部には係止部と、その外側方に間隔をおいて配置された支持部とを形成し、上記側板は、垂直の側板本体とその上部から水平方向に張り出す水平部とを備え、水平部の先端を上記天板の係止部に下側から係止させ、水平部の側板本体側を上記支持部上に支持させるとともに、建物の天井躯体から吊りボルトにより水平に配置された吊り金具の下面に対し、上記天板の両側端部の係止部と支持部上に支持された側板本体の水平部と、側板本体の上端部とを当接させることにより、上記側板を固定することを特徴とする。
【０００７】
請求項２に係る発明は、上記側板の水平部には、上記支持部に係合する凹部が形成されていることを特徴とする。
【０００８】
請求項３に係る発明は、上記側板本体の上端よりも少し下部から傾斜部が分岐形成され、該傾斜部を上記水平部と連続させたことを特徴とする。
【発明の効果】
【０００９】
請求項１に係る発明によれば、建物の天井躯体から吊りボルトにより水平に配置された吊り金具の下面に対し、上記係止部と側板の支持部上に支持された側板本体の水平部と側板の上端部の３点が当接するように設定できる。しかも、水平部は、吊り金具と支持部との間に締め付けられる。したがって、天板と側板との連結強度は高く、また収納ボックスの開口部の幅寸法の精度は向上し、調整は不要となる。
【００１０】
また、天板の係止部と側板の支持部との距離が長くなるほど、つまり上記支持部が天板から離れるほど、側板の荷重に対する支持強度は高くなるから、側板も天板から離すことができることになる。したがって、天板自体がコンパクトであっても、全体として大きな収納ボックスを得ることができる。
【００１１】
また、上記吊り金具の下面に対し、上記天板の両側端部の係止部と支持部上に支持された側板本体の水平部と側板本体の上端部とを当接させることにより、天板と側板との連結強度をより高くすることができる。
【００１２】
請求項２に係る発明によれば、上記水平部は、建物の天井躯体から吊りボルトにより水平に配置された吊り金具と支持部との間に締め付けられ、凹部と断面ｃ字形の支持部とは確実に位置決めされる。したがって、収納ボックスの開口部の幅寸法の精度は向上し、調整は不要となる。
【００１３】
請求項３に係る発明によれば、上記側板本体の上端よりも少し下部から傾斜部が分岐形成され、該傾斜部を上記水平部と連続させたので、上記吊り金具の下面には側板本体の上端部を線状に当接させることができる。したがって、上記３点による当接が明確になり、側板を強固に吊り金具に固定することができ、開口部の寸法精度を保持することができる。
【発明を実施するための最良の形態】
【００１４】
図１はロールスクリーンの収納ボックスの横断面図であり、この収納ボックスＡは主に、天板１と、その両側の側板２と、両側板２の下端開口部３の一部を塞ぐ目隠し板４とから構成されている。
【００１５】
天板１は図２に示されるように、上壁５と下壁６の二重壁を備え、上下壁６の間に空間部７を形成するとともに、下方に開口するあり溝形開口溝８と上方に開口するあり溝形開口溝９とを有している。また、上壁５の両側端部には先端が下方に傾斜した係止部１０が形成され、また、下壁６の両側端部には延長部１１が形成され、延長部１１の先端は立ち上げられて断面が上向きに開口するｃ字形の支持部１２が形成されている。係止部１０と支持部１２とは間隔をおいて配置されている。
【００１６】
両側の側板２は左右対称に形成され、それぞれ垂直の側板本体２ａとその上部から水平方向に張り出す水平部１３とを備えている。側板本体２ａの先端と水平部１３とは同じ高さに形成されている。そして、側板本体２ａの上端よりも少し下部から傾斜部１４が分岐形成され、側板本体２ａはこの傾斜部１４を介して上記水平部１３に連続している。水平部１３の先端１３ａは上方に傾斜し、またその近傍には逆台形状の凹部１５が形成されている。
【００１７】
また、側板本体２ａの下端から外側方に水平の天井板の受け部１６が形成されている。また、側板本体２ａの内側面下部にはＬ字形の係止片１７が形成されている。さらに、側板２の外側面下部には２つの側板２を長手方向に連結する場合の連結溝１８が形成されている。一方の側板２の連結溝１８の端部に連結板（図示せず）の半分をきつく嵌合させ、他方の側板２の連結溝１８の端部に連結板の他方の半分をきつく嵌合させることにより、２つの側板２を整合状態で連結させることができる。なお、１９はビスホールである。
【００１８】
次に、上記天板１に側板２を組み付けるときは、図３に示されるように、側板２の水平部１３の端部を天板１の係止部１０と支持部１２との間に差し込み、側板２を回動させながら水平部１３の先端を係止部１０の裏側に係止させ、凹部１５を天板１の支持部１２上に係合させる。これにより、側板２は天板１に組みつけられて一体に連結される。
【００１９】
次に、上記構成の収納ボックスにロールスクリーンＢを取付けるときは、図３に示されるように、ロールボックス２０の両端部をＬ字形の取付金具２１とＺ字形の取付金具２２を介してボルト２３で天板１の下面に固定する。このとき、図１に示されるように、ボルト頭部２４は天板１の下方に開口した開口溝８に収納する。ボルト頭部２４は６角形であるから、内部で回転できないので、下方からナット２５を締め付けることができる。その後、側板２のＬ字形係止片１７に目隠し板４の端部のフック２６を係止させて取付け、また両端部には上記ビスホール１９を利用して小口蓋２７を固定する（図３参照）。この場合、上記支持部１２もビスホールを兼用する。なお、２８はロールスクリーンＢが振れるのを防止する棒で、重錘の役目をするものである。
【００２０】
上記構成のロールスクリーン収納ボックスを天井に取付けるときは、躯体３０から垂下した吊りボルト３１の下部に約１ｍ間隔に取付けられたＬ字形の吊り金具３２にボルト３３、ナット３４を介して固定する。ボルトの頭部３５は予め上記天板１の上向き開口溝９に摺動自在に嵌合しておき、ボルト３３の軸部を上記吊り金具３２のボルト挿通孔から挿通させ、その上からナット３４を締め付けて固定すればよい。ボルト頭部３５は開口部３の両側に邪魔されて回動できないので、確実に締め付け固定することができる。さらに、側板２の下端部の受け部１６に天井板３６の端部を係合可能に配置すればよい。
【００２１】
なお、３７は野縁、３８は野縁受けであり、３９は吊りボルトである。
【００２２】
上記取り付け構成によれば、天板１は図１のように、ボルト３３、ナット３４で吊り金具３２に強固に固定される。また、側板２は水平部１３の先端１３ａが天板１の係止部１０に係止され、水平部１３の凹部１５が天板１の支持部１２に支持され、また側板２の垂直の上端部４０が吊り金具３２の下面に当接する。そして、吊り金具３２の下面に対し、上記係止部１０と側板２の支持部１２上に支持された水平部１３と側板２の上端部４０の３点が当接する。しかも、水平部１３は、吊り金具３２と支持部１２との間に締め付けられる。したがって、天板１と側板２との連結強度は高く、また収納ボックスの開口部３の幅寸法の精度は向上し、調整は不要となる。
【００２３】
また、天板１の係止部１０と側板２の支持部１２との距離が長くなるほど、つまり上記支持部１２が天板１から離れるほど、側板２の荷重に対する支持強度は高くなるから、側板２も天板１から離すことができることになる。したがって、天板１自体がコンパクトであっても、全体として大きな収納ボックスを得ることができる。特に、重量のあるロールボックスを支持する収納ボックスは大型化しやすい傾向にあるので、好適な収納ボックスを提供することができる。
【００２４】
また、上記水平部１３は、建物の天井躯体から吊りボルトにより水平に配置された吊り金具３２と支持部１２との間に締め付けられ、凹部１５と断面ｃ字形の支持部１２とは確実に位置決めされる。したがって、収納ボックスの開口部３の幅寸法の精度は向上し、調整は不要となる。
【００２５】
さらに、上記吊り金具３２の下面に対し、上記天板１の両側端部の係止部１０と支持部１２上に支持された水平部１３と側板本体２ａの上端部４０とを当接させることにより、天板１と側板２との連結強度をより高くすることができる。
【００２６】
さらにまた、上記側板本体２ａの上端よりも少し下部から傾斜部１４が分岐形成され、該傾斜部１４を上記水平部１３と連続させたので、上記吊り金具３２の下面には側板本体２ａの上端部を線状に当接させることができる。したがって、上記３点による当接が明確になり、側板２を強固に吊り金具３２に固定することができ、開口部３の寸法精度を保持することができる。
【図面の簡単な説明】
【００２７】
【図１】本発明に係るロールスクリーン収納ボックスとその取付態様を示す横断面図である。
【図２】上記ロールスクリーン収納ボックスの分解断面図である。
【図３】上記ロールスクリーン収納ボックスの端部の縦断面図である。
【図４】側板の取付態様説明図である。
【符号の説明】
【００２８】
１    天板
２    側板
２ａ  側板本体
１０  係止部
１２  支持部
１３  水平部
【図１】
0004684050.tif 000002
【図２】
0004684050.tif 000003
【図３】
0004684050.tif 000004
【図４】
0004684050.tif 000005